(57)【要約】【課題】通行券のリサイクル利用により環境配慮型のシステムを構築できる料金収受システムを提供する。【解決手段】高速道路等の有料道路を利用する車両に対し通行券を用いた通行料金の収受処理を行なう料金収受システムにおいて、有料道路の通行券として、繰返し印字／消去が可能なリライタブル印字面およびＲＦＩＤカードからなる繰返し利用可能なリサイクル通行券を使用して通行料金の収受処理を行なう。【選択図】図３
2010231373.tif 000002
【特許請求の範囲】
【請求項１】
有料道路の入口料金所において、当該入口料金所に進入してくる車両に対して通行券を発行する入口処理機と、有料道路の出口料金所において、当該出口料金所に進入してくる車両から提示される前記入口処理機で発行された通行券を処理する出口処理機とから構成され、
前記入口処理機は、
繰返し印字／消去が可能なリライタブル印字面を有し、外部機器との間で無線による通信を行なうことにより外部機器との間でデータのやりとりを行なうもので、少なくともメモリを有し、このメモリには少なくとも当該入口料金所を特定する入口情報が記録される非接触型通信媒体からなる通行券を供給する通行券供給手段と、
この通行券供給手段により供給される通行券の前記リライタブル印字面に対し旧印字内容を消去する印字消去処理を行なう印字消去手段と、
この印字消去手段により印字消去処理された通行券の前記リライタブル印字面に対し少なくとも当該入口料金所を特定する入口情報を印字する印字手段と、
この印字手段により印字された通行券の前記メモリに対し少なくとも当該入口料金所を特定する入口情報を記録する記録手段とを具備し、
前記出口処理機は、
前記入口処理機で発行された通行券を受入れ、当該受入れた通行券の前記メモリに記録されている入口情報を読取る読取手段と、
この読取手段により読取られた入口情報に基づき前記入口料金所から前記出口料金所までの当該車両の通行料金を算出する通行料金算出手段と、
前記受入れた通行券の前記リライタブル印字面における印字寿命を確認することにより当該通行券は再利用可能か否かを判定する印字寿命確認手段と、
この印字寿命確認手段により再利用可能と判定された場合は当該通行券を再利用するために回収し、再利用不可能と判定された場合は当該通行券を再利用不可能として廃棄するように制御する制御手段とを具備したことを特徴とする料金収受システム。
【請求項２】
有料道路の入口料金所において、当該入口料金所に進入してくる車両に対して通行券を発行する入口処理機と、有料道路の出口料金所において、当該出口料金所に進入してくる車両から提示される前記入口処理機で発行された通行券を処理する出口処理機と、前記出口処理機で処理された通行券に対し再利用にむけた処理行なう再利用処理機とから構成され、
前記入口処理機は、
繰返し印字／消去が可能なリライタブル印字面を有し、外部機器との間で無線による通信を行なうことにより外部機器との間でデータのやりとりを行なうもので、少なくともメモリを有し、このメモリには少なくとも当該入口料金所を特定する入口情報が記録される非接触型通信媒体からなる通行券を供給する通行券供給手段と、
この通行券供給手段により供給される通行券の前記リライタブル印字面に対し少なくとも当該入口料金所を特定する入口情報を印字する印字手段と、
この印字手段により印字された通行券の前記メモリに対し少なくとも当該入口料金所を特定する入口情報を記録する記録手段とを具備し、
前記出口処理機は、
前記入口処理機で発行された通行券を受入れ、当該受入れた通行券の前記メモリに記録されている入口情報を読取る読取手段と、
この読取手段により読取られた入口情報に基づき前記入口料金所から前記出口料金所までの当該車両の通行料金を算出する通行料金算出手段とを具備し、
前記再利用処理機は、
前記出口処理機で処理された通行券を受入れ、当該受入れた通行券の前記リライタブル印字面における印字寿命を確認することにより当該通行券は再利用可能か否かを判定する印字寿命確認手段と、
この印字寿命確認手段により再利用不可能と判定された場合は当該通行券を再利用不可能として廃棄するように制御する制御手段と、
前記印字寿命確認手段により再利用可能と判定された場合、前記受入れた通行券の前記リライタブル印字面に対し旧印字内容を消去する印字消去処理を行なう印字消去手段と、
この印字消去手段により印字消去処理された通行券を再利用するために回収する回収手段とを具備したことを特徴とする料金収受システム。
【発明の詳細な説明】
【技術分野】
【０００１】
本発明は、たとえば、高速道路等の有料道路を利用する車両に対し通行券を用いた通行料金の収受処理を行なう料金収受システムに関する。
【背景技術】
【０００２】
たとえば、高速道路等の有料道路の料金収受システムにおいて、対距離対応の通行料金（走行距離に応じた通行料金）の料金収受システムが運用されている（たとえば、特許文献１参照）。  
この料金収受システムは、通行券として紙券に磁気記録層を塗布した専用形状のものが使用され、通行券に対する印字はインクリボン＋ドットインパクト印字ヘッドが用いられる。
【０００３】
すなわち、有料道路を利用する車両が入口料金所に進入すると、入口処理機から当該車両の運転者に対して通行券が発行される。通行券には、入口情報（入口料金所名や通過日時等）が印刷されるとともに、同様な入口情報が磁気データとしても記録される。
【０００４】
車両が出口料金所に進入すると、出口料金所の収受員が当該車両の運転者から通行券を回収する。回収した通行券は、出口処理機で処理され、磁気データから入口情報が読取られて、走行距離に応じた通行料金の算出（精算）が行なわれる。
【０００５】
現在利用されている磁気式の通行券は、券面の印字を消去することができないため、１度きりの使い捨て通行券となっている。また、当該通行券（紙券）を再生紙として使用するためには、磁気記録層を除去する工程が必要となり、そのために専門業者での処理が必要とされる。
【先行技術文献】
【特許文献】
【０００６】
【特許文献１】特許第３２５６６４２号公報
【発明の概要】
【発明が解決しようとする課題】
【０００７】
現在、環境配慮型の製品採用やシステム構築が進んでいる。しかし、磁気式の通行券を利用した料金収受システムは、環境配慮型という観点から以下のような課題があげられる。  
（１）通行券は大量に発行（消費）されるが、通行券としてのリサイクル利用ができない。
【０００８】
（２）通行券を再生紙として利用する場合、磁気記録層を除去するための専門業者の作業が必要となる。
【０００９】
（３）社会システムが環境配慮型に移行している現在、省資源化という観点から通行券としての再利用化が叫ばれている。
【００１０】
そこで、本発明は、通行券のリサイクル利用により環境配慮型のシステムを構築できる料金収受システムを提供することを目的とする。
【課題を解決するための手段】
【００１１】
本発明の料金収受システムは、有料道路の入口料金所において、当該入口料金所に進入してくる車両に対して通行券を発行する入口処理機と、有料道路の出口料金所において、当該出口料金所に進入してくる車両から提示される前記入口処理機で発行された通行券を処理する出口処理機とから構成され、前記入口処理機は、繰返し印字／消去が可能なリライタブル印字面を有し、外部機器との間で無線による通信を行なうことにより外部機器との間でデータのやりとりを行なうもので、少なくともメモリを有し、このメモリには少なくとも当該入口料金所を特定する入口情報が記録される非接触型通信媒体からなる通行券を供給する通行券供給手段と、この通行券供給手段により供給される通行券の前記リライタブル印字面に対し旧印字内容を消去する印字消去処理を行なう印字消去手段と、この印字消去手段により印字消去処理された通行券の前記リライタブル印字面に対し少なくとも当該入口料金所を特定する入口情報を印字する印字手段と、この印字手段により印字された通行券の前記メモリに対し少なくとも当該入口料金所を特定する入口情報を記録する記録手段とを具備し、前記出口処理機は、前記入口処理機で発行された通行券を受入れ、当該受入れた通行券の前記メモリに記録されている入口情報を読取る読取手段と、この読取手段により読取られた入口情報に基づき前記入口料金所から前記出口料金所までの当該車両の通行料金を算出する通行料金算出手段と、前記受入れた通行券の前記リライタブル印字面における印字寿命を確認することにより当該通行券は再利用可能か否かを判定する印字寿命確認手段と、この印字寿命確認手段により再利用可能と判定された場合は当該通行券を再利用するために回収し、再利用不可能と判定された場合は当該通行券を再利用不可能として廃棄するように制御する制御手段とを具備している。
【発明の効果】
【００１２】
本発明によれば、通行券のリサイクル利用により環境配慮型のシステムを構築できる料金収受システムを提供できる。
【図面の簡単な説明】
【００１３】
【図１】本発明の実施の形態に係るリサイクル通行券の構成を概略的に示すもので、（ａ）は平面図、（ｂ）は縦断側面図。
【図２】ＲＦＩＤカードの構成を概略的に示すブロック図。
【図３】リサイクル処理を入口処理機あるいは出口処理機で実施する場合のシステム概要図。
【図４】リサイクル処理を入口処理機あるいは出口処理機では行なわず、専用のリサイクル端末装置により実施する場合のシステム概要図。
【図５】入口料金所における機器構成図を示すブロック図。
【図６】入口料金所における機器配置図を示す模式図。
【図７】入口処理機の具体的な構成を示すブロック図。
【図８】出口処理機の具体的な構成を示すブロック図。
【図９】リサイクル端末装置の具体的な構成を示すブロック図。
【図１０】入口処理機の動作の流れについて説明するフローチャート。
【図１１】出口処理機の動作の流れについて説明するフローチャート。
【図１２】リサイクル端末装置の動作の流れについて説明するフローチャート。
【図１３】印字寿命確認処理について説明するフローチャート。
【発明を実施するための形態】
【００１４】
以下、本発明の実施の形態について図面を参照して説明する。  
図１は、本発明の実施の形態に係るリサイクル通行券の構成を概略的に示すものである。通行券１は、たとえば、ＲＦＩＤ（Ｒａｄｉｏ  Ｆｒｅｑｕｅｎｃｙ  ＩＤｅｎｔｉｆｉｃａｔｉｏｎ）カード（非接触型通信媒体）２で構成されていて、その両面がＰＥＴ（ポリエチレン・テレフタレート）樹脂３，４で挟み込むことで強度的な補強が行なわれている。
【００１５】
一方のＰＥＴ樹脂３の表面には、繰返し印字／消去が可能なリライタブル印字面（印字エリア）５が形成されている。リライタブル印字面５は、たとえば、入口情報（たとえば、入口料金所名、日時情報など）が印字される。
【００１６】
ＲＦＩＤカード２は、外部機器から電磁誘導結合により供給される電力で動作するパッシブタイプのものであり、たとえば、図２に示すように、ＩＣチップ６とアンテナ７とから構成されている。
【００１７】
ＩＣチップ６は、アンテナ７と接続され無線通信を行なうＲＦ部８、全体的な制御を司るＣＰＵ９、ＣＰＵ９の制御プログラム等が格納されたＲＯＭ１０、任意に書換え可能なＥＥＰＲＯＭ１１、受信した電力波で動作電圧を生成する電源部１２により構成されている。ＥＥＰＲＯＭ１１には、ユニークなＩＤ情報（固有の識別情報）が記録されているとともに、少なくとも入口料金所を特定する入口情報（たとえば、入口料金所名、日時情報、儀変造防止データなど）が記録される。
【００１８】
まず、本発明の概要について図３および図４を参照して説明する。  
基本的なシステム概要は、入口料金所で通行券を発行し、出口料金所で通行券を回収する。出口料金所で更に、回収した通行券から入口情報を取得して通行料金を算出し、当該車両の運転者から徴収する。通行料金の徴収後は、回収した通行券を整列し、入口料金所（入口処理機）に充填して通行券の発行に備える。
【００１９】
このように、入口→出口→入口と通行券をサイクルさせることによって、通行券のリサイクル化を実施する。通行券のリサイクル化を実施するにあたり、前回使用時の印字消去と通行券整列、印字寿命の確認を行なう必要があるが、これらの処理（リサイクル処理）を入口処理機、出口処理機に振り分けて実施するか、または専用のリサイクル端末装置（再利用処理機）を設けて実施する方法が考えられる。
【００２０】
リサイクル通行券の寿命は、通行券の折れ、曲がり、汚れなどの外乱要因を除くと、主にリライタブル印字面の寿命により決定される。一般に、ＲＦＩＤカードのデータ書換回数に比べて、リライタブル印字面の書換回数は千回〜数百回と短い。
【００２１】
通行券の発行量が多く、また入口料金所、出口料金所の数が多い大規模な有料道路事業者では、専用のリサイクル端末装置を設けた方が省力化が図れると考えられる。リサイクル端末装置を設けた場合は、入口処理機の印字消去機能、出口処理機の印字寿命確認機能を省略することができるので、全体として機器費低減を図ることができる。
【００２２】
なお、通行券の発行量が少ない小規模な有料道路事業者では、リサイクル端末装置の設備費や稼働率が悪化するため、全体の機器費、管理費低減からリサイクル端末装置を使用しない運用も考えられる。
【００２３】
図３は、上記したようなリサイクル処理を入口処理機１３あるいは出口処理機１４で実施する場合のシステム概要図である。入口処理機１３では、前回使用時の印字内容を消去する印字消去、今回使用時の印字実施（入口料金所名、日時情報等）、データ書込み（入口料金所名、日時情報、偽変造防止データ等）を実施して通行券１を発行する。特に、印字消去について、リサイクル端末装置を使用しない場合は、入口処理機１３に印字消去機能の搭載が必要である。
【００２４】
出口料金所で通行券１を回収後、出口処理機１４では、印字項目確認（入口料金所名、日時情報等）、印字寿命確認、データ読取り（入口料金所名、日時情報、偽変造防止データ等）を実施する。特に、印字寿命確認については、リサイクル端末装置を使用しない場合、印字寿命確認機能の搭載が必要である。なお、印字（通行券）の寿命と判定されたものは廃棄処理される。
【００２５】
図４は、上記したようなリサイクル処理を、入口処理機１３あるいは出口処理機１４では行なわず、専用のリサイクル端末装置（再利用処理機）１５により実施する場合のシステム概要図である。入口処理機１３では、印字実施（入口料金所名、日時情報等）、データ書込み（入口料金所名、日時情報、偽変造防止データ等）を実施して通行券１を発行する。特に、印字消去については、リサイクル端末装置１５で実施するので、入口処理機１３に印字消去機能を搭載する必要がない。
【００２６】
出口料金所で通行券１を回収後、出口処理機１４では、印字項目確認（入口料金所名、日時情報等）、データ読取り（入口料金所名、日時情報、偽変造防止データ等）を実施する。特に、印字寿命確認については、リサイクル端末装置１５で実施するので、印字寿命確認機能を搭載する必要がない。
【００２７】
出口料金所で回収された通行券１は、たとえば、有料道路事業者の事務所に設置してあるリサイクル端末装置１５で、印字消去、印字寿命確認、汚れ・変形確認を実施する。印字（通行券）の寿命と判定されたものは廃棄処理される。
【００２８】
以下、本発明の実施の形態に係る料金収受システムの具体例について説明する。  
図５は入口料金所における機器構成図を示し、図６は入口料金所における機器配置図を示している。
【００２９】
入口処理機１３は、入口料金所に進入してくる車両２１に対し通行券１を発行する通行券自動発行機２２、左ハンドル車用発行機２３、および、これらを遠隔監視する遠隔監視盤２４から構成されている。通行券自動発行機２２には、入口料金所に進入してくる車両２１を検知する進入車両検知器２５、車両２１の高さを検知する車高検知器２６、および、入口料金所を提出する車両２１を検知する退出車両検知器２７が接続される。
【００３０】
入口料金所の入口処理機１３では、進入車両検知器２５の検知信号をトリガに発行動作を開始し、車高検知器２６で検知される車高に見合った発行口より通行券１の発行を行なうものとする。左ハンドル車の場合は、車両２１の運転者が左ハンドル車用発行機２３の発行釦（図示しない）を押下することにより、レーンの左側から通行券１の発行を行なう。なお、通行券１の取り忘れの場合は、退出車両検知器２７の検知信号により通行券１を回収する。
【００３１】
通行券１の発行動作は、通行券１のリライタブル印字面５に対し入口料金所名と日時情報を印字し、ＲＦＩＤカード２へは入口料金所名、日時情報料、偽変造防止データを記録する。発行された通行券１は、車両２１の運転者に渡される。なお、リサイクル端末装置１５を使用しないシステム構成の場合は、発行動作の前に前回使用時の印字内容を消去する印字消去処理を実施する。
【００３２】
図７は、入口処理機１３の具体的な構成を示すものである。  
通行券自動発行機２２は、全体的な制御を司る主制御部３１、発行動作を制御する発行制御部３２、通行券１の発行を行なう発行部３３および外部インタフェイス３４から構成されていて、外部インタフェイス３４には進入車両検知器２５、車高検知器２６および退出車両検知器２７が接続されている。主制御部３１は、計算機センタ等に設置された上位装置２８および収受員事務所等に設置された遠隔監視盤２４に接続されている。
【００３３】
発行部３３は、使用済あるいは未使用状態の通行券１を多数枚積層状態に収納する通行券収納部３５、通行券収納部３５から通行券１を１枚ずつ取出して図示しない搬送路へ供給する取出部３６、通行券１のリライタブル印字面５に対し旧印字内容を消去する印字消去部３７、通行券１のＲＦＩＤカード２に対し電磁誘導結合により動作電力を供給しながらＩＣチップ６内のメモリに対しデータを書込んだり読取ったりするリーダ・ライタ部３８、通行券１のリライタブル印字面５に対し入口情報を印字する印字部３９、発行した通行券１を図示しない上段発行口あるいは下段発行口へ排出する通行券排出部４０、取り忘れた通行券１を回収する通行券回収部４１、および、各種案内を行なう案内表示部４２から構成されている。  
なお、リサイクル端末装置１５を使用しないシステム構成の場合は発行部３３における印字消去部３７が削除される。
【００３４】
左ハンドル車用発行機２３は、発行動作を制御する発行制御部４３および通行券１の発行を行なう発行部４４から構成されていて、発行制御部４３は通行券自動発行機２２の外部インタフェイス３４に接続されている。
【００３５】
発行部４４は、通行券自動発行機２２の発行部３３と同様、通行券収納部４５、取出部４６、印字消去部４７、リーダ・ライタ部４８、印字部４９、通行券排出部５０、通行券回収部５１、および、案内表示部５２から構成されている。  
なお、リサイクル端末装置１５を使用しないシステム構成の場合は発行部４３における印字消去部４７が削除される。
【００３６】
図８は、出口処理機１４の具体的な構成を示すものである。出口処理機１４は、料金収受処理を行なうとともに全体的な制御を司る主制御部６１、および、回収した通行券１を読取る通行券読取機６２から構成されている。通行券読取機６２は、読取動作を制御する読取制御部６３および読取部６４から構成されている。
【００３７】
読取部６４は、回収した通行券１を受入れる通行券受入部６５、受入れた通行券１のＲＦＩＤカード２に対し電磁誘導結合により動作電力を供給しながらＩＣチップ６内のメモリに対しデータを書込んだり読取ったりするリーダ・ライタ部６６、通行券１のリライタブル印字面５の印字寿命を確認する印字寿命確認部６７、再利用する通行券１を回収する通行券回収部６８、廃棄する通行券１を回収するリジェクト部６９、および、各種案内を行なう案内表示部７０から構成されている。  
なお、リサイクル端末装置１５を使用しないシステム構成の場合は読取部６４における印字寿命確認部６７が削除される。
【００３８】
出口料金所では、収受員が車両の運転者から通行券１を回収する。収受員は、回収した通行券１を通行券読取機６２で処理することで、通行券１のＲＦＩＤカード２に記録された入口情報から通行料金が算出される。
【００３９】
なお、通行料金の算出、確定は主制御部６１で実施されるが、通行料金を算出するための入口情報の確定にあたっては、通行券１のＲＦＩＤカード２に記録される変偽装防止データをチェックすることで、不正利用を最小限に食い止めることができる。
【００４０】
図９は、リサイクル端末装置１５の具体的な構成を示すものである。リサイクル端末装置１５は、全体的な制御を司る主制御部７１、および、通行券１のリサイクル化（前回印字内容の消去や再利用不可券（不良券）の抽出）を行なう通行券処理機７２から構成されている。通行券処理機７２は、処理動作を制御する制御部７３および処理部７４から構成されている。
【００４１】
処理部７４は、使用済の通行券１を多数枚積層状態に収納する通行券収納部７５、通行券収納部７５から通行券１を１枚ずつ取出して図示しない搬送路へ供給する取出部７６、通行券１のリライタブル印字面５に対し旧印字内容を消去する印字消去部７７、通行券１のＲＦＩＤカード２に対し電磁誘導結合により動作電力を供給しながらＩＣチップ６内のメモリに対しデータを書込んだり読取ったりするリーダ・ライタ部７８、通行券１のリライタブル印字面５の印字寿命を確認する印字寿命確認部７９、再利用する通行券１を回収する通行券回収部８０、廃棄する通行券１を回収するリジェクト部８１、および、各種案内を行なう案内表示部８２から構成されている。
【００４２】
次に、このような構成において入口処理機１３の動作の流れについて図１０に示すフローチャートを参照して説明する。
【００４３】
まず、取出部３６により通行券収納部３５から通行券１が１枚取出されて、印字消去部３７へ送られ、ここで通行券１のリライタブル印字面５に対し旧印字内容を消去する印字消去処理が行なわれる（ステップＳ１）。
【００４４】
次に、印字消去処理された通行券１は印字部３９へ送られ、通行券１のリライタブル印字面５に対し入口情報内の固定情報（入口料金所名等）が印字される（ステップＳ２）。固定情報が印字された通行券１はここで一時保持され、車両２１の進入検知を待機する。
【００４５】
進入車両検知器２５が車両２１の進入を検知すると（ステップＳ３）、車高検知器２６が当該車両２１の車高を検知しているか否かを判定し（ステップＳ４）、車高を検知している場合、通行券排出部４０は上段発行口を選択し（ステップＳ５）、案内表示部４２でその案内表示行なう（ステップＳ６）。
【００４６】
次に、印字部３９は、通行券１のリライタブル印字面５に対し入口情報内の残りの変動情報（日時情報等）を印字し（ステップＳ７）、当該通行券１をリーダ・ライタ部３８へ送る。
【００４７】
リーダ・ライタ部３８は、通行券１のＲＦＩＤカード２に対し電磁誘導結合により動作電力を供給しながらＩＣチップ６内のメモリに対し入口情報（入口料金所名、日時情報等）および偽変造防止データを書込む（ステップＳ８）。データを書込みが終了した通行券１は、通行券排出部４０により選択された上段発行口に排出される（ステップＳ９）。
【００４８】
ステップＳ４における判定の結果、車高を検知していない場合、通行券排出部４０は下段発行口を選択し（ステップＳ１０）、案内表示部４２でその案内表示行なう（ステップＳ１１）。
【００４９】
次に、印字部３９は、通行券１のリライタブル印字面５に対し入口情報内の残りの変動情報（日時情報等）を印字し（ステップＳ１２）、当該通行券１をリーダ・ライタ部３８へ送る。
【００５０】
リーダ・ライタ部３８は、通行券１のＲＦＩＤカード２に対し電磁誘導結合により動作電力を供給しながらＩＣチップ６内のメモリに対し入口情報（入口料金所名、日時情報等）および偽変造防止データを書込む（ステップＳ１３）。データを書込みが終了した通行券１は、通行券排出部４０により選択された上段発行口に排出される（ステップＳ１４）。
【００５１】
次に、退出車両検知器２７が車両２１の退出を検知すると（ステップＳ１５）、発行口に排出された通行券１が抜取られたか否かをチェックし（ステップＳ１６）、抜取られた場合はステップＳ１に戻って次の動作に備え、抜取られなかった場合は通行券回収部４１に回収し（ステップＳ１７）、その後、ステップＳ１に戻って次の動作に備える。
【００５２】
なお、上記説明では、できるだけ迅速な発行を行なうために、進入車両が検知される前にステップＳ１の印字消去処理およびステップＳ２の固定情報の印字処理を行なうようにしたが、必ずしもそのようにする必要はなく、たとえば、ステップＳ３で進入車両が検知された後にステップＳ１の印字消去処理を行ない、ステップＳ８で固定情報の印字処理も同時に行なうようにしてもよい。  
また、リサイクル端末装置１５を使用するシステム構成の場合は、ステップＳ１の印字消去処理は不要であるので削除される。
【００５３】
次に、出口処理機１４の動作の流れについて図１１に示すフローチャートを参照して説明する。
【００５４】
出口処理機１４では、案内表示部７０で通行券の挿入を案内している（ステップＳ２１）。収受員が車両の運転者から通行券１を回収し、通行券受入部６５に挿入したことが検知されると（ステップＳ２２）、当該通行券１はリーダ・ライタ部６６へ送られる。
【００５５】
リーダ・ライタ部６６は、通行券１のＲＦＩＤカード２に対し電磁誘導結合により動作電力を供給しながらＩＣチップ６内のメモリから入口情報（入口料金所名、日時情報等）および偽変造防止データを読取り（ステップＳ２３）、入口情報は案内表示部７０に表示する（ステップＳ２４）。
【００５６】
収受員は、案内表示部７０に表示された入口情報を目視確認し（ステップＳ２５）、不正の疑いがあるなどで承認できない場合、当該車両の運転者に対し問い合わせるなどして、人手による処理が行なわれる（ステップＳ２６）。
【００５７】
ステップＳ２５における確認の結果、承認できる場合、収受員はその旨の指示を入力することにより、主制御部６１により当該通行券１から読取った入口情報に基づく通行料金の計算が行なわれる（ステップＳ２７）。
【００５８】
印字寿命確認部６７は、当該通行券１のリライタブル印字面５の印字寿命を確認することにより、当該通行券１は再利用可能か否かを判定する（ステップＳ２８，Ｓ２９）。この印字寿命確認処理の詳細は後で説明する。
【００５９】
ステップＳ２８，Ｓ２９における判定の結果、当該通行券１の再利用は不可能な場合、当該通行券１を廃棄処分するためリジェクト部６９へ回収し（ステップＳ３０）、当該通行券１の再利用が可能な場合、当該通行券１を再利用するために通行券回収部６８へ回収する（ステップＳ３１）。
【００６０】
なお、リサイクル端末装置１５を使用するシステム構成の場合は、ステップＳ２８，Ｓ２９の印字寿命確認処理およびステップＳ３０のリジェクト処理は不要であるので削除される。
【００６１】
次に、リサイクル端末装置１５の動作の流れについて図１２に示すフローチャートを参照して説明する。
【００６２】
リサイクル化する使用済みの通行券１が通行券収納部７５に装填され（ステップＳ４１）、処理開始命令が入力されると（ステップＳ４２）、取出部７６により通行券収納部７５から通行券１が１枚取出されて、リーダ・ライタ部７８へ送られる。
【００６３】
リーダ・ライタ部７８は、通行券１のＲＦＩＤカード２に対し電磁誘導結合により動作電力を供給しながらＩＣチップ６内のメモリ（ＥＥＰＲＯＭ１１）に対しテストデータを書込み、読出すことにより、メモリに異常がないか否かをチェックする（ステップＳ４３）。
【００６４】
ステップＳ４３におけるチェックの結果、メモリに異常がある場合、当該通行券１の再利用は不可能と判断して、当該通行券１を廃棄処分するためリジェクト部８１へ回収する（ステップＳ４４）。
【００６５】
ステップＳ４３におけるチェックの結果、メモリに異常がない場合、当該通行券１は印字寿命確認部７９へ送られる。印字寿命確認部７９は、当該通行券１のリライタブル印字面５の印字寿命を確認することにより、当該通行券１は再利用可能か否かを判定する（ステップＳ４５，Ｓ４６）。この印字寿命確認処理の詳細は後で説明する。
【００６６】
ステップＳ４５，Ｓ４６における判定の結果、当該通行券１の再利用は不可能な場合、当該通行券１を廃棄処分するためリジェクト部８１へ回収し（ステップＳ４４）、当該通行券１の再利用が可能な場合、当該通行券１に汚れおよび変形がないか否かを確認する（ステップＳ４７）。この汚れ・変形確認処理は後で説明する。
【００６７】
ステップＳ４７における確認の結果、当該通行券１に汚れ・変形がある場合、当該通行券１の再利用は不可能と判断して、当該通行券１を廃棄処分するためリジェクト部８１へ回収し（ステップＳ４４）、当該通行券１に汚れ・変形がない場合、当該通行券１を再利用するために通行券回収部８０へ回収する（ステップＳ４９）。
【００６８】
次に、図１１のステップＳ２８，Ｓ２９（印字寿命確認部６７）および図１２のステップＳ４５，Ｓ４６（印字寿命確認部７９）における印字寿命確認処理について図１３に示すフローチャートを参照して説明する。
【００６９】
通行券１のリライタブル印字面５の画像を撮影するカメラ（図示しない）を有しているものとする。まず、通行券１のリライタブル印字面５の画像をカメラで撮影し（ステップＳ５１）、この撮影された画像に対し２値化処理などを用いて背景部分と文字部分との分離を行なうことで、文字画像を抽出する（ステップＳ５２）。
【００７０】
次に、抽出した文字画像の濃淡を確認し（ステップＳ５３）、あらかじめ定められた閾値以上の濃さがあれば、次に文字フォントの確認を行なうことで文字にかすれがないか否かをチェックし（ステップＳ５４）、文字にかすれがない場合、まだ印字寿命ではないと判断して再利用可能（リサイクル可）と判定する（ステップＳ５５）。
【００７１】
ステップＳ５３における確認の結果、あらかじめ定められた閾値以上の濃さがない場合、あるいは、ステップＳ５４におけるチェックの結果、文字にかすれがある場合、印字寿命と判断して再利用不可能（リサイクル不可）と判定する（ステップＳ５６）。
【００７２】
次に、図１２のステップＳ４７における通行券１の汚れ・変形確認処理について簡単に説明する。
【００７３】
この例の場合、上記した印字寿命確認処理に用いたカメラで撮影された画像を用いるものとする。たとえば、カメラで撮影された画像に対し２値化処理などを用いて背景部分と文字部分との分離を行なうことで背景画像を抽出し、この抽出した背景画像の濃淡を確認し、あらかじめ定められた閾値以上の濃さがあれば汚れありと判定する。
【００７４】
また、たとえば、カメラで撮影された画像から通行券１の形状を求め、この求めた形状をあらかじめ定められた基準値と比較することにより、通行券１が変形しているか否かを判定する。
【００７５】
以上説明したように、上記実施の形態によれば、通行券のリサイクル利用により環境配慮型の料金収受システムを構築できる。また、当該料金収受システムの採用を進めることにより、廃棄部の削減や企業価値向上などの効果が期待される。
【００７６】
さらに、機器ごとに適切な機能分担を行なうことにより、有料道路事業者の事業規模に適したリサイクルシステムを導入することができる。  
すなわち、小規模（通行券の発行量が少なく、また料金所数も少ない）な有料道路事業者向けには、リサイクル端末装置なしのシステム稼動で、機器費および管理費の低減を図る。特に、入口処理機と出口処理機に、リサイクル化に最低限必要な機能を搭載し、リサイクル端末装置なしで運用するものとする。
【００７７】
また、大規模（通行券の発行量が多く、また料金所数も多い）な有料道路事業者向けには、リサイクル端末装置を設定して可能な限りの自動化（省力化）を図る。また、リサイクル端末装置を活用することにより、入口処理機と出口処理機の機能低減を図り、機器費および管理費の低減を図る。
【符号の説明】
【００７８】
１…通行券、２…ＲＦＩＤカード（非接触型通信媒体）、１１…ＥＥＰＲＯＭ（メモリ）、１３…入口処理機、１４…出口処理機、１５…リサイクル端末装置（再利用処理機）、２１…車両、２２…通行券自動発行機、２３…左ハンドル車用発行機、２５…進入車両検知器、２６…車高検知器、２７…退出車両検知器、３７，４７，７７…印字消去部、６７，７９…印字寿命確認部。
【図１】
2010231373.tif 000003
【図２】
2010231373.tif 000004
【図３】
2010231373.tif 000005
【図４】
2010231373.tif 000006
【図５】
2010231373.tif 000007
【図６】
2010231373.tif 000008
【図７】
2010231373.tif 000009
【図８】
2010231373.tif 000010
【図９】
2010231373.tif 000011
【図１０】
2010231373.tif 000012
【図１１】
2010231373.tif 000013
【図１２】
2010231373.tif 000014
【図１３】
2010231373.tif 000015